(57)【要約】【課題】  釣糸が抵抗を受ける際、釣糸とセンタリングの内周縁に接する面積を減らすようにセンタリングの内周縁に凹凸を形成し、釣糸とセンタリングとの摩擦熱による釣糸の変形を最小化し、センタリングと釣糸の摩擦によって発生した熱はセンタリングの表面積を極大化し、摩擦熱の放熱を容易にするための釣竿用の釣糸ガイドのセンタリングを提供する。【解決手段】  釣竿用の釣糸ガイドのセンタリング９３，９４，９５は、釣糸９９が挿入されるように形成される。このセンタリング９３，９４，９５の内周縁には凹部１１０ａ、１１０ｂ、１１０ｃと凸部１２０ａ、１２０ｂ、１２０ｃを形成して可変的な外部の引張力による釣糸９９とセンタリング９３，９４，９５との摩擦面積を減少させると共に、摩擦熱の放熱のための表面積を増加させる。【選択図】図３
0003104774.tif 000002
【実用新案登録請求の範囲】
【請求項１】
釣糸が挿入されるように形成された釣竿用の釣糸ガイドのセンタリングにおいて、
前記センタリングの内周縁には凹部と凸部を形成して可変的な外部の引張力による釣糸とセンタリングとの摩擦面積を減少させると共に、摩擦熱の放熱のための表面積を増加させることを特徴とする釣竿用の釣糸ガイドのセンタリング。
【請求項２】
前記センタリングの内周縁は、連続するエンボシング状からなることを特徴とする請求項１に記載の釣竿用の釣糸ガイドのセンタリング。
【考案の詳細な説明】
【技術分野】
【０００１】
本考案は釣竿用の釣糸ガイドセンタリングに関するもので、より詳細には、釣糸が抵抗を受ける際、釣糸とセンタリングの内周縁に接する面積を減らすようにセンタリングの内周縁に凹凸を形成し、釣糸とセンタリングとの摩擦熱による釣糸の変形を最小化し、センタリングと釣糸の摩擦によって発生した熱はセンタリングの表面積を極大化し、摩擦熱の放熱を容易にするための釣竿用の釣糸ガイドのセンタリングに関するものである。
【背景技術】
【０００２】
一般的に、釣竿に使われるガイドはステンレススチールで製作され、釣竿に固定されるメインフレームと、このメインフレームに挿入固定されるセンタリングで構成される。
【０００３】
センタリングで使われる材質としては、熱処理されたか硬質メッキされたステンレススチールとタングステン材質などが使われているが、主にセラミックスが主材料として使われている。
【０００４】
この時、メインフレームはセンタリングを固定する役割をし、センタリングは表面が平滑に処理され、釣糸の円滑な通過が行われるようにする。
【０００５】
釣糸ガイドは、センタリングを釣竿に付着するための道具で、主にステンレススチール材質からなるフレームを使っている。
【０００６】
図１及び図２に図示したように釣糸ガイド１は、メインフレーム２と、メインフレーム２に差し込まれるセンタリング３で構成される。
【０００７】
メインフレーム２には、原形、楕円形または「Ｔ」字状などの穴が形成され、センタリング３はこの穴と同一の形状に構成され差し込まれる。
【０００８】
また、メインフレーム２の下部では、釣竿(不図示)に固定するための支持台６を延長形成する。
【０００９】
支持台６はメインフレーム２と鈍角を成し、メインフレーム２から延長形成される。
【００１０】
この時、センタリング３の内周縁には釣糸９が挿入され、可変的な引張力によって一直線上に流動するようになる。
【００１１】
そして、メインフレーム２の裏側には補助フレーム２２が相互支持されるように形成される。
【００１２】
すなわち、補助フレーム２２はメインフレーム２の上端部で延長されるように形成されている。
【００１３】
そして、メインフレーム２と補助フレーム２２は鋭角を成しており、メインフレーム２の外側に鈍角を成すように支持台６が延長形成され、補助フレーム２２の外側で鈍角を成すように補助台２６が延長形成されている。
【００１４】
そして、センタリング３は釣竿(不図示)上で一列に多数個具備された釣糸ガイド１にそれぞれ具備され、その内周縁に釣糸９を長く連結する。
【００１５】
この時、センタリング３の内周縁は一定の曲率を持った曲面３ａで成され、釣糸９に接するようになる。
【００１６】
釣糸９には、魚などがかかって引っぱる力Ｔ１と、釣竿からこれを引こうとする力Ｔ２が互いに作用し、センタリング３の内周縁の表面に釣糸９が接するようになる。
【００１７】
このような釣糸ガイドの製作では、センタリングをフレームに圧搾するための最小限の構造が求められる。
【００１８】
このような構造により、センタリングと釣糸の摩擦部分を減らすための微細なセンタリングの製作には制限されている。
【００１９】
そのため、従来の摩擦熱を減らすためのさまざまな試みが行われた。
【００２０】
また、センタリングの摩擦熱を減らすためのセンタリング材料が変化してきた。
【００２１】
すなわち、日本特開２０００-１９１３７５号では、センタリングの発熱を向上させるためにセンタリング材料をホウ素炭化物に使うことを提案し、日本特開２０００-０７２５４３号には釣糸の摩擦力を減らすためにセンタリング材料をジルコンで使ったものが開示されており、日本特許公開公報平１１-０６９９２７号には釣糸の滑ることを向上させるためにセンタリングの内周縁にセラミックス、メタル、人造及びレジンなどで構成されたフィルムをコーティングしたものが開示されている。
【００２２】
そして、日本特開平１０-２６２５１０号及び米国特許６,１４１,８９９号には釣糸との摩擦力を減らすためにＳＩＣ材料で製造し、その案内面の近傍部の平均気孔が１０μｍ以下のセンタリングが開示され、日本特開平０９-２０８２９５号では釣糸との摩耗の抵抗性を高めるためにアルミナセラミックスをセンタリング材料に使用し、日本特開平０７-３２２７９６号にはセンタリングの摩耗を減らすためにセンタリングの表面にダイヤモンド・コーティング・フィルムを被せたものが開示されている。
【００２３】
また、日本特開平０２-２０４３６２号ではセンタリングを一定の単位のジルコニアで製造して釣糸の切れ防止と抵抗性を高めるようにし、日本特開平０１-２６５８４１号にはセンタリングの摩擦力を減らすためにメタル及びセラミックスコーティングすることが開示されている。
【００２４】
一方、米国特許４,６８１,８６１号には、ＳＩＣ粉末を必要に応じて稀土類元素Ｔ２O３を添加し、優れた強度及び剛性を持つセンタリングが開示されている。
【００２５】
そして、センタリングの構造的な例としては、日本特開平１１-１５５４２９と日本特開平０９-１６３９００に開示されたセンタリングの形状がある。
【００２６】
一方、本出願人は韓国実用登録第２０-０２３３５６０号で、センタリングの断面形状が１つ以上の三角形で成されるようにしたことを特徴とするセンタリングを開示した。
【００２７】
しかし、従来のセンタリングは耐磨耗性、高強度、高靭性及び放熱性を向上させるために材質を異なるようにしてきたが、前述したセンタリングの機能が期待値に及ばず、センタリングの機能を得るためには高価の材質を使うため、製造費用が上昇する問題点がある。
【００２８】
そして、従来のセンタリングが耐磨耗性、高強度、高靭性及び放熱性を持つとしても釣糸の可変的な外力によってセンタリングの内周縁上で釣糸が引かれるため、センタリングと釣糸は相互摩擦され、その摩擦熱によってセンタリングの内周縁が過熱し、釣糸は長期間の使用時にセンタリングとの多い摩擦面積によって切れる問題点もある。
【特許文献１】韓国実用登録第２０-０２３３５６０号
【考案の開示】
【考案が解決しようとする課題】
【００２９】
本考案は、このような問題点を解決するためになされたもので、釣糸に接するセンタリングの内周縁及び一部側面に多様な形状で成された連続的な凹凸を具備し、センタリングと釣糸との接触面積を減らすことによって、相互摩擦による摩擦熱の発生を減らし、摩擦熱過多発生によるセンタリングの変形や釣糸の切断を防止すると共に、釣糸との摩擦による熱を短時間で放熱できるように放熱表面積を増大させた釣竿用の釣糸ガイドのセンタリングを提供することにその目的がある。
【課題を解決するための手段】
【００３０】
前述の目的を達成するための本発明に係る釣竿用の釣糸ガイドのセンタリングは、釣糸が挿入されるように形成された釣竿用の釣糸ガイドのセンタリングにおいて、前記センタリングの内周縁に凹部と凸部を形成し、可変的な外部の引張力による釣糸とセンタリングとの摩擦面積を減少させると共に、摩擦熱の放熱のための表面積を増加させることを特徴とする。
【考案の効果】
【００３１】
本考案に係る釣竿の釣糸ガイド用センタリングによれば、釣糸と接するセンタリング上に凹部と凸部を連続するように形成することによって、センタリングと釣糸とのスライディング接触による摩擦熱を減らし、センタリングの熱変形を減らし、釣糸も摩擦熱による切断を防止し、表面積の増大で放熱効率を増加させることができる。
【考案を実施するための最良の形態】
【００３２】
以下、添付図面を参照して本考案の好ましい実施形態について詳しく説明する。
【００３３】
図３は、本考案の一実施形態に関するセンタリングを具備した釣竿用の釣糸ガイドの斜視図で、図４は図３のセンタリングの断面図であり、図５及び図６は本考案の実施形態に関するセンタリングの断面図である。
【００３４】
図３ないし図６に図示したように、本考案に係る釣竿用の釣糸ガイドのセンタリングは、センタリング９３、９４、９５に釣糸９９を挿入するように形成された釣糸ガイド３１において、センタリング９３、９４、９５の内周縁に凹部１１０ａ、１１０ｂ、１１０ｃと凸部１２０ａ、１２０ｂ、１２０ｃを形成し、可変的な外部の引張力による釣糸９９とセンタリング９３、９４、９５との摩擦面積を減らすと共に、表面積を増加させることを特徴とする。
【００３５】
図３に図示したように、釣糸ガイド３１はさまざまな形状で成され、図面では代表的な釣糸ガイドの場合を図示する。
釣竿を図示しなかったが、釣糸ガイド３１は釣竿の上部に一列で配列され、釣糸はそれぞれの釣糸ガイド３１のセンタリング９３、９４、９５を順に通過するようになる。
【００３６】
釣糸ガイド３１は、支持台３６と一体に形成されたメインフレーム３２、及び補助台４６と一体に形成された補助フレーム４２を一体にして成る。
【００３７】
そして、釣糸ガイド３１のメインフレーム３２と補助フレーム４２には、センタリング９３が連結されるように挿入されている。
【００３８】
図３及び図４に図示したように、センタリング９３の内周縁及び両側面の一部には、陥没された凹部１１０ａと突出された凸部１２０ａを連続的に形成する。
【００３９】
凹部１１０ａと凸部１２０ａは、釣糸９９が接するセンタリング９３の接触面積を最大限減らすために具備されている。
【００４０】
凹部１１０ａと凸部１２０ａは、釣糸９９がセンタリング９３と接して移動しながら相互摩擦による摩擦熱を発生し、これによってセンタリング９３の変形や釣糸の切断を防止するために釣糸９９の接触面積を減らし、放熱のための表面積増大のために具備される。
【００４１】
この時、凹部１１０ａはエンボシング状に陥没し、連続した凹部１１０ａの間に自然に凸部１２０ａが形成される。
【００４２】
一方、図５及び図６に図示したように、センタリング９４、９５はさまざまな形状の凹部１１０ｂ、１１０ｃと凸部１２０ｂ、１２０ｃを選択的に形成することもできる。
【００４３】
この時、センタリング９４、９５はさまざまな材質で成されうるが、セラミックス材質で成されることが好ましい。
【００４４】
すなわち、図５に図示したように、凹部１１０ｂはセンタリング９４の内周縁で一定間隔を維持し、内部で三角形状に陥没されるように形成される。
【００４５】
そのため、凸部１２０ｂは相対的に突出するように自然的に成される。
【００４６】
凹部１１０ｂと凸部１２０ｂによって釣糸９９は、センタリング９４との接触面積が減るようになる。
【００４７】
また、図６に図示したように、凹部１１０ｃはセンタリング９５の内周縁で連続的に突出された凸部１２０ｃの間に形成される。
【００４８】
一方、前述したさまざまな形状のセンタリング９３、９４、９５には多様な形状の凹部１１０ａ、１１０ｂ、１１０ｃ及び凸部１２０ａ、１２０ｂ、１２０ｃを選択的に連続するように形成できることは当然である。
【００４９】
この時、センタリング９３、９４、９５と釣糸９９の接触面積を減らすようになると、釣糸９９がセンタリング９３、９４、９５の内部で可変的な外部引張力によって動きながら、センタリング９３、９４、９５との接触されることによって発生される摩擦熱を減らし、結果的にセンタリング９３、９４、９５の熱変形を減らすようになり、釣糸９９の摩擦熱による切断も防止することができる。
【００５０】
そして、センタリング９３、９４、９５の凹部１１０ａ、１１０ｂ、１１０ｃ及び凸部１２０ａ、１２０ｂ、１２０ｃによって表面積が増大するため、センタリング９３、９４、９５と釣糸９９との摩擦によって発生する摩擦熱が外部空気との接触面積の増加によって短時間に放熱される。
【００５１】
すなわち、図４ないし図６に図示したように、釣糸９９には外部の引張力Ｔ１とこれに対して持ち堪える応力Ｔ２が加えられ、これによってセンタリング９３、９４、９５の内周縁と釣糸９９との接触面積は凹部１１０ａ、１１０ｂ、１１０ｃ及び凸部１２０ａ、１２０ｂ、１２０ｃによって接触面積を減らすようにする。
【産業上の利用可能性】
【００５２】
以上のように本考案に係る釣竿の釣糸ガイド用センタリングは、釣糸と接するセンタリング上に凹部と凸部を連続するように形成することによって、センタリングと釣糸とのスライディング接触による摩擦熱を減らし、センタリングの熱変形を減らし、釣糸も摩擦熱による切断を防止し、表面積の増大で放熱効率を増加させることができる効果がある。
【図面の簡単な説明】
【００５３】
【図１】図１は一般的な釣竿用の釣糸ガイドの斜視図である。
【図２】図２は従来の釣竿用の釣糸ガイドセンタリングの断面図である。
【図３】図３は本考案の一実施例形態に関するセンタリングを具備した釣竿用の釣糸ガイドの斜視図である。
【図４】図４は図３のセンタリングの断面図である。
【図５】図５は本考案の他実施形態に関するセンタリングの断面図である。
【図６】図６は本考案の他実施形態に関するセンタリングの断面図である。
【符号の説明】
【００５４】
３１、５１、６１  釣糸ガイド
９３、９４、９５、９６、９７、９８  センタリング
１１０ａ、１１０ｂ、１１０ｃ  凹部
１２０ａ、１２０ｂ、１２０ｃ  凸部
【図１】
0003104774.tif 000003
【図２】
0003104774.tif 000004
【図３】
0003104774.tif 000005
【図４】
0003104774.tif 000006
【図５】
0003104774.tif 000007
【図６】
0003104774.tif 000008